(57)【要約】【課題】初心者のユーザにとっても、熟練者のユーザにとっても、操作性に優れた電子機器を提供する。【解決手段】ステップＳ１８０で、制御手段５３は、キー処理手段５２のバッファから読み出された押下されたキーが、決定キー３３であるか否かを判断し、決定キー３３の場合は、ステップＳ１９０に進み、そうでない場合は、ステップＳ１１０に進む。ステップＳ１９０で、制御手段５３は、カーソルが初期位置（即ち、無効選択肢）に置かれているか否かを判断し、初期位置に置かれている場合は、ステップＳ１１０に進み、そうでない場合は、ステップＳ２００に進む。【選択図】図３
2008158827.tif 000002
【特許請求の範囲】
【請求項１】
カーソルを移動させる方向キー及びカーソルの置かれた選択肢を選択する決定キーを有し、押下されたキーに対応する制御信号を発生する操作手段と、
バッファを有し、前記操作手段が発生した制御信号から押下されたキーを判別して前記バッファに格納するキー処理手段と、
１つ以上の選択肢を有し、該１つ以上の選択肢の何れか１つにカーソルを置く選択画面を構成する表示制御手段と、
該表示制御手段が構成した選択画面を表す映像信号を生成する映像信号処理手段と、
前記各手段を制御する制御手段とを備え、
該制御手段は、
前記キー処理手段によってバッファに格納された押下されたキーを、先に格納されたものから順に読み出し、
前記方向キーが読み出された場合は、前記表示制御手段に対して前記方向キーに従ってカーソルを移動させるよう指示し、
前記決定キーが読み出された場合は、カーソルの置かれた選択肢に対応する処理を実行する電子機器であって、
前記表示制御手段は、更に無効選択肢を有する選択画面を構成するとともに、該選択画面を最初に表示する際には、前記無効選択肢にカーソルを置き、
前記制御手段は、前記無効選択肢以外の選択肢にカーソルが置かれており且つ前記決定キーが読み出された場合にのみ、カーソルの置かれた選択肢に対応する処理を実行することを特徴とする電子機器。
【請求項２】
前記選択画面は、１列に並んだ、偶数個の選択肢及び１つの無効選択肢を有し、前記１つの無効選択肢は、前記偶数個の選択肢の中央に配置されることを特徴とする請求項１に記載の電子機器。
【請求項３】
前記操作手段は、リモコンであることを特徴とする請求項１又は２に記載の電子機器。
【発明の詳細な説明】
【技術分野】
【０００１】
本発明は、複数の選択肢からユーザに選択させる選択画面を出力する電子機器に関し、より詳しくは、複数の設定や処理の中からユーザが選択する選択画面を出力する表示装置、記録再生装置、コンピュータ、等の電子機器に関する。
【背景技術】
【０００２】
近年、電子機器の多機能化に伴い、その操作はより複雑になっている。この問題を解決するため、種々の操作性向上技術が考えられ、実用化されている。特に、表示装置自体や、表示装置に映像を出力する電子機器（例えば、記録再生装置やコンピュータ等）では、操作情報を表示することで、操作の簡易化が図られている。このような操作を簡易化する技術の１つに、「選択画面」がある。
【０００３】
図６及び７は、従来の電子機器における選択画面の例である。ユーザが、メニューによりダビングを選択した際、先ず、図６（ａ）又は（ｂ）の選択画面が表示される。図６（ａ）では、カーソルは左側の選択肢に置かれている。図６（ｂ）では、カーソルは右側の選択肢に置かれている。
【０００４】
ユーザは、電子機器自体又はリモコンに備えられた方向キーを押下することで右又は左にカーソルを移動させ、決定キーを押下することでカーソルの置かれた選択肢を選択する。この選択の後、図７（ａ）又は（ｂ）の選択画面が表示され、同様にして、何れかの選択肢を選択する。
【０００５】
所で、図６（ａ）又は（ｂ）の選択画面で決定キーを押下した後、図７（ａ）又は（ｂ）の選択画面が表示されるまで、１〜２秒程度の時間が掛かる電子機器がある。このような特性を有する電子機器の操作に慣れていない初心者のユーザの場合、決定キーを押下したにもかかわらず、更にもう１度、決定キーを押下してしまうことがある。そして、この２回目に押下した決定キーは、図７（ａ）又は（ｂ）の選択画面で押下されたものであると電子機器が認識し、ユーザの意図しない動作が行われることがあった。
【０００６】
このような先行入力を無効にするため、通常は、選択画面の表示の際に、バッファを消去する処理が行われる。特許文献１では、ユーザの意図しない動作の例、及びこの問題を解決するためにバッファを消去する技術を応用した要求処理装置について、説明されている。なお、バッファを消去する処理は、コンピュータのソフトウェアのユーザインターフェース部分においては、２０年以上前から多く用いられており、様々な文献にこの処理の説明を見つけることができる。
【０００７】
さて、このようなバッファを消去する処理は、操作に不慣れな初心者のユーザにとっては、意図しない動作を防止することができるため、非常に便利な機能である。しかし、操作に精通し、選択画面の遷移を把握している熟練者のユーザにとっては、この機能は著しく不便である。これは、先行入力を行うことができないため、次に表示される選択画面が分かっているにもかかわらず、次の選択画面が完全に表示するまでキー入力を待つ必要があるためである。
【０００８】
特許文献２には、バッファを消去せずに、全てのキー入力を保持することで、先行入力を有効にする技術が開示されている。この技術によれば、選択画面の遷移を把握している熟練者のユーザは、先行入力を活用して、キー入力を迅速に行うことができる。しかし、バッファを消去しないため、上述したように、初心者のユーザにとっては、意図しない動作が実行されてしまう可能性があるという問題がある。
【０００９】
【特許文献１】特開平１１−１７７９５８号公報
【特許文献２】特開２０００−２２２０９９号公報
【発明の開示】
【発明が解決しようとする課題】
【００１０】
特許文献１のように、バッファを消去する技術を用いた場合、初心者のユーザにとっては意図しない動作を防止することができるため操作性に優れるが、熟練者のユーザにとっては操作が煩わしいという問題があった。
【００１１】
また、特許文献２のように、バッファを消去しない技術を用いた場合、熟練者のユーザにとっては操作を迅速に行うことができるため操作性に優れるが、初心者のユーザにとっては意図しない動作が実行されてしまう可能性があるという問題があった。
【００１２】
本発明は、上述の問題点に鑑みてなされたものであり、初心者のユーザにとっても、熟練者のユーザにとっても、操作性に優れた電子機器を提供することを目的とする。
【課題を解決するための手段】
【００１３】
請求項１に記載の電子機器は、カーソルを移動させる方向キー及びカーソルの置かれた選択肢を選択する決定キーを有し、押下されたキーに対応する制御信号を発生する操作手段と、バッファを有し、前記操作手段が発生した制御信号から押下されたキーを判別して前記バッファに格納するキー処理手段と、１つ以上の選択肢を有し、該１つ以上の選択肢の何れか１つにカーソルを置く選択画面を構成する表示制御手段と、該表示制御手段が構成した選択画面を表す映像信号を生成する映像信号処理手段と、前記各手段を制御する制御手段とを備え、該制御手段は、前記キー処理手段によってバッファに格納された押下されたキーを、先に格納されたものから順に読み出し、前記方向キーが読み出された場合は、前記表示制御手段に対して前記方向キーに従ってカーソルを移動させるよう指示し、前記決定キーが読み出された場合は、カーソルの置かれた選択肢に対応する処理を実行する電子機器であって、前記表示制御手段は、更に無効選択肢を有する選択画面を構成するとともに、該選択画面を最初に表示する際には、前記無効選択肢にカーソルを置き、前記制御手段は、前記無効選択肢以外の選択肢にカーソルが置かれており且つ前記決定キーが読み出された場合にのみ、カーソルの置かれた選択肢に対応する処理を実行することを特徴とする。
【００１４】
請求項１に記載の電子機器によれば、選択画面を表示する際に、バッファに格納されている情報を消去しないため、先行入力を利用することができる。また、選択画面が最初に表示される際、カーソルが無効選択肢に置かれているため、決定キーを連続して複数回押下した場合であっても、何も処理が行われないため、ユーザの意図しない動作を防止することができる。
【００１５】
請求項２に記載の電子機器は、請求項１において、前記選択画面は、１列に並んだ、偶数個の選択肢及び１つの無効選択肢を有し、前記１つの無効選択肢は、前記偶数個の選択肢の中央に配置されることを特徴とする。
【００１６】
請求項２に記載の電子機器によれば、中央に配置された無効選択肢に最初にカーソルが置かれるため、ユーザはカーソル位置を認識し易い。特に、二者択一の場合、従来のように２個の選択肢のみを有する選択画面では、どちらの選択肢にカーソルが置かれているのか認識し難いことがあったが、無効選択肢を追加することで、カーソル位置の認識が容易になる。
【００１７】
請求項３に記載の電子機器は、請求項１又は２において、前記操作手段は、リモコンであることを特徴とする。
【００１８】
請求項３に記載の電子機器によれば、リモコンを用いて遠隔操作する場合にも適用することができる。
【発明の効果】
【００１９】
本発明によれば、先行入力を利用することができるため、熟練者のユーザにとって、操作性を向上することができる。また、決定キーを連続して複数回押下した場合であっても、ユーザの意図しない動作を防止することができるため、初心者のユーザにとっても、操作性を向上することができる。
【００２０】
更に、本発明によれば、ユーザはカーソル位置を認識し易いため、誤ったキー操作を防止することができる。
【００２１】
更に、本発明によれば、リモコンを用いて遠隔操作する場合にも適用することができるため、特に、電子機器本体とリモコンの距離が遠い場合や、リモコンの電池の残量が少ない場合のように、キーが押下されたことが不確実な場合において、誤ったキー操作を防止することができる。
【発明を実施するための最良の形態】
【００２２】
本発明の実施の形態を、図面を参照して説明する。なお、以下の実施例は本発明の具体例に過ぎず、本発明が以下の実施形態に限定されるものではない。
【００２３】
図１は、本実施例の電子機器の構成を示すブロック図である。電子機器１は、操作手段３、チューナ４１、信号処理回路４３、信号処理回路用メモリ４４、メインマイコン５、メインマイコン用メモリ５４、サブマイコン６、サブマイコン用メモリ６１、ハードディスクドライブ７１、ＤＶＤドライブ７２、映像出力端子８１、音声出力端子８２を備える。
【００２４】
操作手段３は、カーソルを移動させる方向キー及びカーソルの置かれた選択肢を選択する決定キーを有し、押下されたキーに対応する制御信号を発生する。チューナ４１は、アンテナ４２を介して、テレビジョン放送を受信する。信号処理回路４３は、映像信号を生成する映像信号処理手段と、音声信号を生成する音声信号処理手段とを有する。信号処理回路用メモリ４４は、映像信号及び音声信号の圧縮処理及び伸長処理を行う際に一時記憶に使用するメモリである。
【００２５】
メインマイコン５は、表示制御手段５１、キー処理手段５２、制御手段５３を有する。表示制御手段５１は、１つ以上の選択肢の何れか１つにカーソルを置く選択画面を構成する。キー処理手段５２は、バッファを有し、操作手段３が発生した制御信号から押下されたキーを判別してこのバッファに格納する。制御手段５３は、電子機器１に含まれる各部を制御する。メインマイコン用メモリ５４は、メインマイコン５及びチューナ４１の設定値や初期値を記憶する。
【００２６】
サブマイコン６は、ハードディスクドライブ７１及びＤＶＤドライブ７２を制御する。サブマイコン用メモリ６１は、ハードディスクドライブ７１及びＤＶＤドライブ７２の設定値や初期値を記憶する。映像出力端子８１及び音声出力端子８２は、それぞれ、信号処理回路４３の映像信号処理手段及び音声処理手段の出力を、電子機器１の外部に接続された表示装置２に出力するための端子である。
【００２７】
ここで、制御手段５３は、キー処理手段５２によってバッファに格納された押下されたキーを、先に格納されたものから順に読み出し、方向キーが読み出された場合は、表示制御手段５１に対してこの方向キーに従ってカーソルを移動させるよう指示し、決定キーが読み出された場合は、カーソルの置かれた選択肢に対応する処理を実行する。
【００２８】
図２は、操作手段３を示す図である。操作手段３は、方向キー３２ａ、３２ｂ、３２ｃ、３２ｄ、決定キー３３、メニューキー３４、数字キー３５を有する。ユーザは、方向キーキー３２ａ、３２ｂ、３２ｃ、３２ｄを押下することで、選択画面においてカーソルを移動させることができる。また、決定キー３３を押下することで、カーソルが置かれている選択肢を選択することができる。操作手段３は、図２に示す構成のリモコンで実現する。
【００２９】
図４は、本発明の実施例の選択画面を示す図である。操作手段３のメニューキー３４で、ダビングを選択すると、最初に、図４（ａ）の選択画面が表示される。この選択画面では、２つの選択肢の中央に無効選択肢が配置され、この無効選択肢にカーソルが置かれている。この状態から方向キー３２ｄ及び３２ｂを用いてカーソルを移動させると、それぞれ、図４（ｂ）及び（ｃ）のようになる。
【００３０】
図４（ａ）の選択画面が表示されている時に決定キー３３を押下しても、選択画面は変化せず、また、次の処理にも進まない。一方、図４（ｂ）又は（ｃ）の選択画面が表示されている時に、決定キー３３を押下すると、次の処理に進む。即ち、図５（ａ）の選択画面が表示される。
【００３１】
図５（ａ）の選択画面も、図４（ａ）の選択画面と同様に、２つの選択肢の中央に無効選択肢が配置され、この無効選択肢にカーソルが置かれている。この状態から方向キー３２ｄ及び３２ｂを用いてカーソルを移動させると、それぞれ、図５（ｂ）及び（ｃ）のようになる。
【００３２】
図５（ａ）の選択画面が表示されている時に決定キー３３を押下しても、選択画面は変化せず、また、次の処理にも進まない。一方、図５（ｂ）又は（ｃ）の選択画面が表示されている時に、決定キー３３を押下すると、次の処理に進む。即ち、図５（ｂ）の選択画面が表示されている時に決定キーを押下すると、ダビングを開始する処理を実行し、図５（ｃ）の選択画面が表示されている時に決定キーを押下すると、ダビングを中止する処理を実行する。
【００３３】
このような処理の流れを実現する方法を具体的に説明する。図３は、本発明の実施例の処理の流れを示すフローチャートである。このフローチャートは、選択画面を使用してユーザに設定を行わせる処理において、カーソルが無効選択肢に置かれた最初の選択画面が表示された後に開始される。例えば、メニューから「ダビング」を選択し、図４（ａ）の選択画面が表示された後、開始される。また、図４（ｂ）又は（ｃ）の選択画面において決定キー３３が押下され、図５（ａ）の選択画面が表示された後にも、開始される。
【００３４】
なお、各ステップの進行は、制御手段５３によって行われる。また、表示制御手段５１で構成された選択画面は、映像信号処理手段を含む信号処理回路４３によって映像信号が生成され、映像出力端子８１を通して外部の表示装置２に出力され、画面表示される。
【００３５】
ステップＳ１１０で、制御手段５３は、キー処理手段５２のバッファから押下されたキーを読み出し、押下されたキーが有った場合（即ち、ユーザがキー入力を行っていた場合）は、ステップＳ１２０に進み、そうでない場合は、ステップＳ１１０に進む。
【００３６】
ステップＳ１２０で、制御手段５３は、キー処理手段５２のバッファから読み出された押下されたキーが、左方向を指示する方向キー３２ｄであるか否かを判断し、左方向を指示する方向キー３２ｄの場合は、ステップＳ１３０に進み、そうでない場合は、ステップＳ１５０に進む。
【００３７】
ステップＳ１３０で、制御手段５３は、カーソルの置かれている選択肢が左端であるか否かを判断し、左端である場合は、ステップＳ１１０に進み、そうでない場合は、ステップＳ１４０に進む。
【００３８】
ステップＳ１４０で、制御手段５３は、表示制御手段５１に対してカーソルを１つだけ左に移動するよう指示し、表示手段５１は、カーソルを１つだけ左に移動し、ステップＳ１１０に進む。
【００３９】
ステップＳ１５０で、制御手段５３は、キー処理手段５２のバッファから読み出された押下されたキーが、右方向を指示する方向キー３２ｂであるか否かを判断し、右方向を指示する方向キー３２ｂの場合は、ステップＳ１６０に進み、そうでない場合は、ステップＳ１８０に進む。
【００４０】
ステップＳ１６０で、制御手段５３は、カーソルの置かれている選択肢が右端であるか否かを判断し、右端である場合は、ステップＳ１１０に進み、そうでない場合は、ステップＳ１７０に進む。
【００４１】
ステップＳ１７０で、制御手段５３は、表示制御手段５１に対してカーソルを１つだけ右に移動するよう指示し、表示手段５１は、カーソルを１つだけ右に移動し、ステップＳ１１０に進む。
【００４２】
ステップＳ１８０で、制御手段５３は、キー処理手段５２のバッファから読み出された押下されたキーが、決定キー３３であるか否かを判断し、決定キー３３の場合は、ステップＳ１９０に進み、そうでない場合は、ステップＳ１１０に進む。
【００４３】
ステップＳ１９０で、制御手段５３は、カーソルが初期位置（即ち、無効選択肢）に置かれているか否かを判断し、初期位置に置かれている場合は、ステップＳ１１０に進み、そうでない場合は、ステップＳ２００に進む。
【００４４】
ステップＳ２００で、制御手段５３は、カーソルが置かれている選択肢に対応する処理を実行し、「終了」に進む。
【００４５】
以上述べたように、本発明では、選択画面を表示する際に、バッファに格納されている情報を消去しないため、先行入力を利用することができる。また、選択画面が最初に表示される際、カーソルが無効選択肢に置かれているため、決定キーを連続して複数回押下した場合であっても、何も処理が行われないため、ユーザの意図しない動作を防止することができる。即ち、初心者のユーザにとっても、熟練者のユーザにとっても、操作性に優れた電子機器を提供することができる。
【００４６】
なお、上述の実施例は、チューナ４１、ハードディスクドライブ７１、ＤＶＤドライブ７２を有し、記録や再生を行う電子機器であったが、本発明はこれに限定されず、種々の電子機器に適用できる。
【００４７】
また、上述の実施例では、操作手段３はリモコンであったが、電子機器１自体に設けられたスイッチであっても良い。
【図面の簡単な説明】
【００４８】
【図１】本発明の実施例の構成を示すブロック図である。
【図２】本発明の実施例の操作手段を示す図である。
【図３】本発明の実施例の処理の流れを示すフローチャートである。
【図４】本発明の実施例の選択画面を示す図である。
【図５】本発明の実施例の選択画面を示す図である。
【図６】従来の選択画面を示す図である。
【図７】従来の選択画面を示す図である。
【符号の説明】
【００４９】
１  電子機器
３  操作手段
３２ａ，３２ｂ，３２ｃ，３２ｄ  方向キー
３３  決定キー
４３  信号処理回路（映像信号処理手段を含む）
５  メインマイコン
５１  表示制御手段
５２  キー処理手段
５３  制御手段
【図１】
2008158827.tif 000003
【図２】
2008158827.tif 000004
【図３】
2008158827.tif 000005
【図４】
2008158827.tif 000006
【図５】
2008158827.tif 000007
【図６】
2008158827.tif 000008
【図７】
2008158827.tif 000009